【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
正距円筒図法で与えられるフレームを分割した符号化木ブロック単位にフレーム間予測又はフレーム内予測を適用して得られる予測残差を、符号化木ブロックを構成する符号化ブロックごとに変換及び量子化して符号化する動画像符号化装置であって、
当該符号化ブロックへ適用すべき量子化パラメータ(QP)を符号化前ブロックの画素値及び当該符号化ブロックのフレーム内位置に基づいて算出する算出部と、
前記適用すべき量子化パラメータ(QP)を当該符号化ブロックの左隣ブロック、上隣ブロック又は既に符号化されたブロックに対して前記算出部により算出された量子化パラメータに基づいて予測して予測値(QP[予測])を得る予測部と、
当該符号化ブロックがフレーム左端に位置しており、かつ当該符号化ブロックと、隣接する上と左の両符号化ブロックとが異なる符号化木ブロックに属しているという条件を満たす場合に、前記予測値(QP[予測])を補正して補正値(QP[予測][補正])を得て、当該条件を満たさない場合には前記予測値（QP[予測]）の値をそのまま補正値(QP[予測][補正])となす補正部と、を備え、
前記補正値(QP[補正][予測])と前記適用すべき量子化パラメータ(QP)との差分を符号化することを特徴とする動画像符号化装置。
【請求項２】
正距円筒図法で与えられるフレームを分割した符号化木ブロック単位にフレーム間予測又はフレーム内予測を適用して得られる予測残差を、符号化木ブロックを構成する符号化ブロックごとに変換及び量子化して符号化する動画像符号化装置であって、
前記符号化ブロックへ適用すべき量子化パラメータ(QP)を当該符号化ブロックの左隣ブロック、上隣ブロック又は既に符号化されたブロックに対して算出された量子化パラメータに基づいて予測して予測値(QP[予測])を得る予測部を備え、
該符号化ブロックがフレーム左端に位置しており、かつ当該符号化ブロックと、隣接する上と左の両符号化ブロックとが異なる符号化木ブロックに属しているという条件を満たす場合にのみ、正距円筒図法によりフレーム内の矩形から球表面に射影した際の面積比に基づいて設定される所定関数を用いて差分量子化パラメータ(ΔQP)を符号化し、
前記予測部により得られた予測値（QP[予測]）に前記差分量子化パラメータ(ΔQP)を加算して当該量子化されるブロックのフレーム内縦方向位置における量子化パラメータとして符号化とすることを特徴とする動画像符号化装置。
【請求項３】
正距円筒図法で与えられるフレームを分割した符号化木ブロック単位にフレーム間予測又はフレーム内予測を適用して得られた予測残差を、符号化木ブロックを構成する符号化ブロックごとに変換及び量子化し、適用すべき量子化パラメータ(QP)とその予測値(QP[予測])との差分量子化パラメータ(ΔQP)を符号化して得られた符号化ストリームを、当該符号化ブロックに対応する復号ブロックごとに復号する動画像復号装置であって、
当該復号ブロックへ適用すべき量子化パラメータ(QP)の予測値(QP[予測])を当該復号ブロックの左隣ブロック、上隣ブロック又は既に復号されたブロックにおいて既に復号された適用すべき量子化パラメータ(QP)に基づいて予測する予測部と、
当該復号ブロックがフレーム左端に位置しており、かつ当該復号ブロックと、隣接する上と左の両復号ブロックとが異なる符号化木ブロックに属しているという条件を満たす場合に、前記予測値(QP[予測])を補正して補正値(QP[予測][補正])を得て、当該条件を満たさない場合には前記予測値（QP[予測]）の値をそのまま補正値(QP[予測][補正])となす補正部と、
前記符号化ストリームを復号して得られる当該復号ブロックの差分量子化パラメータ(ΔQP)と前記補正値(QP[予測][補正])とを加算して、当該復号ブロックへ適用すべき量子化パラメータ(QP)を得ることを特徴とする動画像復号装置。
【請求項４】
前記補正部は、前記条件を満たす場合に、
前記予測値(QP[予測])をQP[予測]とし、前記補正値(QP[予測][補正])をQP[予測][補正]とし、関数COR(D)を復号ブロックの位置のフレーム内における縦中心位置からの縦方向の乖離Dの増加関数とし、当該復号ブロックの位置をD[現在]とし、当該復号ブロックに対して前記予測部が前記予測値(QP[予測])を予測するために参照した既に復号されたブロックの位置をD[参照]として、
以下の式によって補正することを特徴とする請求項３に記載の動画像復号装置。
QP[予測][補正]=QP[予測]+COR(D[現在])-COR(D[参照])
【請求項５】
前記補正部は、前記条件を満たす場合に、当該復号ブロックが属するスライスに付与されている量子化パラメータを前記補正値(QP[予測][補正])として得ることを特徴とする請求項３に記載の動画像復号装置。
【請求項６】
前記復号ブロックが属するスライスに付与されている量子化パラメータQP(D)が、
関数COR(D)を復号ブロックの位置のフレーム内における縦中心位置からの縦方向の乖離Dの増加関数とし、フレーム内の縦中心位置に対して適用すべき量子化パラメータの所定値をQP(0)として、
以下の式で与えられる請求項５に記載の動画像復号装置。
QP(D)=QP(0)+COR(D)
【請求項７】
前記関数COR(D)は、正距円筒図法で与えられるフレームの位置Dにおいて、正距円筒図法によりフレーム内の矩形から球表面に射影した際の面積比に基づいて設定される所定関数であることを特徴とする請求項４または６に記載の動画像復号装置。
【請求項８】
コンピュータを、
正距円筒図法で与えられるフレームを分割した符号化木ブロック単位にフレーム間予測又はフレーム内予測を適用して得られる予測残差を、符号化木ブロックを構成する符号化ブロックごとに変換及び量子化して符号化する動画像符号化装置であって、
当該符号化ブロックへ適用すべき量子化パラメータ(QP)を符号化前ブロックの画素値及び当該符号化ブロックのフレーム内位置に基づいて算出する算出部と、
前記適用すべき量子化パラメータ(QP)を当該符号化ブロックの左隣ブロック、上隣ブロック又は既に符号化されたブロックに対して前記算出部により算出された量子化パラメータに基づいて予測して予測値(QP[予測])を得る予測部と、
当該符号化ブロックがフレーム左端に位置しており、かつ当該符号化ブロックと、隣接する上と左の両符号化ブロックとが異なる符号化木ブロックに属しているという条件を満たす場合に、前記予測値(QP[予測])を補正して補正値(QP[予測][補正])を得て、当該条件を満たさない場合には前記予測値（QP[予測]）の値をそのまま補正値(QP[予測][補正])となす補正部と、を備え、
前記補正値(QP[補正][予測])と前記適用すべき量子化パラメータ(QP)との差分を符号化する動画像符号化装置として機能させることを特徴とするプログラム。
【請求項９】
コンピュータを、
正距円筒図法で与えられるフレームを分割した符号化木ブロック単位にフレーム間予測又はフレーム内予測を適用して得られた予測残差を、符号化木ブロックを構成する符号化ブロックごとに変換及び量子化し、適用すべき量子化パラメータ(QP)とその予測値(QP[予測])との差分量子化パラメータ(ΔQP)を符号化して得られた符号化ストリームを、当該符号化ブロックに対応する復号ブロックごとに復号する動画像復号装置であって、
当該復号ブロックへ適用すべき量子化パラメータ(QP)の予測値(QP[予測])を当該復号ブロックの左隣ブロック、上隣ブロック又は既に復号されたブロックにおいて既に復号された適用すべき量子化パラメータ(QP)に基づいて予測する予測部と、
当該復号ブロックがフレーム左端に位置しており、かつ当該復号ブロックと、隣接する上と左の両復号ブロックとが異なる符号化木ブロックに属しているという条件を満たす場合に、前記予測値(QP[予測])を補正して補正値(QP[予測][補正])を得て、当該条件を満たさない場合には前記予測値（QP[予測]）の値をそのまま補正値(QP[予測][補正])となす補正部と、
前記符号化ストリームを復号して得られる当該復号ブロックの差分量子化パラメータ(ΔQP)と前記補正値(QP[予測][補正])とを加算して、当該復号ブロックへ適用すべき量子化パラメータ(QP)を得る動画像復号装置として機能させることを特徴とするプログラム。